(57)【要約】    【課題】  ペア商品を開発するに当たっては、内形の異なる弾性リングを２種類必要となり、つまり、ボールペンの以外形にあった弾性リングとシャープペンシルの外形にあった弾性リングが必要となり、部品としての費用も増加してしまうばかりでなく、組み立ての際に挿着ミスが発生する危険性もある。    【構成】  軸筒内に筆記体を有すると共に、軸筒の先端に柔軟性を有する筆記具保持部材を取り付けた筆記具であって、その筆記具保持部材の内面に内形の異なる少なくとも２箇所の保持部を形成した筆記具。    【選択図】  図１
2006305789.tif 000002
【特許請求の範囲】
【請求項１】
軸筒内に筆記体を有すると共に、軸筒の先端に柔軟性を有する筆記具保持部材を取り付けた筆記具であって、その筆記具保持部材の内面に内形の異なる少なくとも２箇所の保持部を形成したことを特徴とする筆記具。
【請求項２】
前記筆記具保持部材の前方部を軸筒の先端から露出させたことを特徴とする請求項１記載の筆記具。
【請求項３】
前記筆記具保持部材の内面後部に後端部に向かって拡開する円錐孔部を形成したことを特徴とする請求項１、或いは、請求項２に記載の筆記具。
【発明の詳細な説明】
【技術分野】
【０００１】
本発明は、軸筒内に筆記体を有すると共に、軸筒の先端に柔軟性を有する筆記具保持部材を取り付けた筆記具に関する。
【背景技術】
【０００２】
１例として、筆記体の筆記先端部外径より僅かに小内径の弾性リングを、軸筒の先端内に設けた係止段部に係合してなる筆記先端部の振れ防止装置がある。
【特許文献１】実開平５−９３８８４号公報
【発明の開示】
【発明が解決しようとする課題】
【０００３】
近年においては、ボールペンとシャープペンシルの組み合わせと言った、所謂、ペア商品が販売されるようになってきている。
ところで、ボールペンとシャープペンシルの外形は、一般的には相違しているのが多い。具体的に説明すると、シャープペンシルの外形は内部機構が複雑が故に、ボールペンの外形よりも太く形成されている。
従って、前記の従来技術にあっては、ペア商品を開発するに当たっては、内形の異なる弾性リングを２種類必要となり、つまり、ボールペンの以外形にあった弾性リングとシャープペンシルの外形にあった弾性リングが必要となり、部品としての費用も増加してしまうばかりでなく、組み立ての際に挿着ミスが発生する危険性もある。
【課題を解決するための手段】
【０００４】
本発明は、軸筒内に筆記体を有すると共に、軸筒の先端に柔軟性を有する筆記具保持部材を取り付けた筆記具であって、その筆記具保持部材の内面に内形の異なる少なくとも２箇所の保持部を形成したことを要旨とする。
【発明の効果】
【０００５】
本発明は、軸筒内に筆記体を有すると共に、軸筒の先端に柔軟性を有する筆記具保持部材を取り付けた筆記具であって、その筆記具保持部材の内面に内形の異なる少なくとも２箇所の保持部を形成したので、１種類の弾性リングで複数の筆記体に適応させることができると共に、組み立ての際の挿着ミスを防止することができる。
【発明を実施するための最良の形態】
【０００６】
１例を図１〜図４に示し説明する。軸筒１は、後軸２と前軸３から構成されており、それら後軸２と前軸は螺合螺合部Ｒなどに手段によって着脱自在に固定されているが、前記後軸２と前軸３とを一体形成などしても良い。また、前軸３の前端部には、前方に向かって縮径する先部４が形成されている。符号５は滑り止め効果を有する弾性材質からなるグリップ部材であるが、そのグリップ部５材は柔軟な材質からなる内層６と、その内層６の表面に被覆され、又、内層よりも若干硬度の高い材質からなる外層７とから構成されている。ちなみに、本実施例においては、内層６にショアＡ硬度で１０度〜２０度の軟質シルコーンを用いており、外層７としてはショアＡ硬度で３０度〜７０度の薄いシリコーン皮膜を用いている。内層６の柔らかさを触感できると共に、外層７の表面へのほこりや汚れなどの付着を防止している。
【０００７】
また、前記前軸３の先部４の前端内面には、弾性体からなる保持部材８が圧入・固定されている。その保持部材８は、ウレタンゴム、エチレンアクリルゴム、エピクロルヒドリンゴム、アクリルゴム、エチレンプロピレンゴム、クロロプレンゴム、天然ゴム、イソプレンゴム、塩素化ポリエチレン、ニトリルゴム、シリコーンゴムなどのゴム材質から形成されているが、スチレン系エラストマー、オレフィン系エラストマー、エステル系エラストマー、ウレタン系エラストマー、エラストマーゲル、ポリエチレンゲルなどのエラストマーであっても良く、また、アクリル樹脂や、フッ素樹脂、塩化ビニル、ポリエチレン樹脂などの弾性樹脂であっても良い。
保持部材８の前方部は前方に向かって先細りとなる円錐形状をなしており、その円錐部９が前記先部４の前端部から露出している。また、保持部材８の中間部外周には円周溝１０が形成されており、その円周溝１０に先部４の内周面に形成された円周突起１１が嵌り込んでいる。つまり、円周突起１１が円周溝１０に嵌り込むことによって、保持部材８が前軸３に固定され脱落が防止されている。また、保持部材８の内面には、前方から小形部１２、大形部１３が形成されているが、それら小形部１２と大形部１３は円錐部１４によって連接形成されている。その小形部１２の内形は後述するボールペンのチップの外形よりも若干小形となっており、大形部１３の内形はシャープペンシルユニットの先部材の外形よりも若干小形となっている。その大形部１３の後部には、後方に向かって拡開する円錐部１５が形成されている。ボールペンやシャープペンシルユニットを挿着する際の組み立て時における容易性を図っている。尚、前記小形１２は、先部４から露出した位置に形成されており、一方、大形ぶ１３は先部４の内部に位置している。
【０００８】
軸筒１の内部には、シャープペンシルユニット１６が配置されているが、デビット式カムなどを使用してシャープペンシルユニット１６を軸筒１に対して出没可能に配置しても良い。
そのシャープペンシルユニット１６について説明する。芯タンク１７の前方には継ぎ手１８を介して芯の把持・開放を行うチャック体１９が固定されており、そのチャック体１９の前方にはそのチャック体１９の開閉を行うチェックリング２０が囲繞している。また、前軸３の内部には、その前軸３と後軸２とによって挟み込まれ固定された中螺子２１が前記シャープペンシルニット１６の前方部を囲繞するように配置されている。その中螺子２１の内部には、前記芯タンク１７やチャック体１９を後方に付勢するコイルスプリングなどの弾撥部材２２が配置されている。また、中螺子２１の前端には、先部材２３が螺合などの手段によって着脱自在に固定されている。その先部材２３の内側には、繰り出される芯の後退を阻止するゴム状弾性体から形成された芯戻り止め部材２４が内設している。
そして、その先部材２３の外形部２５が前記保持部材８の大形部１３に若干圧入された状態で接触している。尚、大形部１３は先部４の内部に位置しているため、その大形部１３の外周は先部４の内面によって変形が阻止されている。つまり、シャープペンシルユニット１６の軸筒１に対するがたつきが防止されると共に、シャープペンシルユニット１６から芯を繰り出し、筆記した際、保持部材８の弾性変形によって若干は変形しながらも硬質な筆記感が得られる。
本例においては、大形部１３をシャープペンシルユニット１６の先部材１３に接触させ保持しているが、先部材２３の前端近傍を小形部１２に接触・保持させても良い。小径部１２によって保持させることにより、小径部１２の外周部が露出しているため、比較的大きな弾性変形が得られ、その結果、筆で筆記するような柔軟な筆記感が得られる。
【０００９】
尚、前記保持部材８の材質は前例の通りであるが、硬度はショアＡ硬度で５０度〜８０度に設定するのが好ましいが、５度〜８０度としてもほぼ同様な効果を得ることができる。しかし、５０度以下では使用者の好み如何によっては筆記の際に筆記部の変形量が多くなってしまい違和感がでてしまう使用者もいる。
符号２６は前記芯タンク１７の後部に固定された消しゴムホルダーであって、その消しゴムホルダー２６の後部には、消しゴムＭと、その消しゴムＭを覆うようにカバー部材２７が着脱自在に取り付けられている。
【００１０】
図５は、軸筒１内に水性インキや油性インキを内蔵したボールペンリフィル２８を配置した例である。ボールペンリフィル２８は、インキを収容するためのインキタンク２９とそのインキタンク２９の前方に圧入・固定されたボールペンチップ３０から構成されているが、そのボールペンチップ３０の先端には筆記部となるボール３１が回転自在に取り付けられている。
そのボールペンチップ２８は、コイルスプリングなどの弾撥部材３２によって後方、つまり、軸筒１に対して収納させる方向に付勢されている。符号３３は前記弾撥部材３２の前方への移動を規制する受け部材であって、前記保持部材８の後方であって軸筒１の内面に圧入・固定されている。また、符号３４は、ボールペンリフィル２８の中間部に形成された突部であって、前記弾撥部材３２の一端部が形成されている。
この軸筒１の後方には、ボールペンリフィル２８を前進・後退させるためのデビット式カムなど一般的な出没機構（図示せず）が配置されており、前記ボールペンリフィル２８の突出状態を維持可能なものとしている。
本例においては、ボールペンリフィル２８のボールペンチップ３０が前記保持部材８の小形部１２に若干圧入状態で接触・保持されている。小形部１２は先部４から露出し、その表面の変形が規制されていないため、比較的自由に変形することができる。その結果、ボールペンリフィル２８で筆記する際、ボールペンチップ３０が保持部材８に保持されながらも柔軟に円周方向に移動することができ、此によって、筆のような柔軟性のある筆記感が得られる。
また、本例は出没式のボールペンであるため、その出没動作に際しては、保持部材８の円錐部１４や１５が案内部となり、良好な出没動作を得ることができる。
以上、軸筒１の先端から保持部材８を露出させた例を挙げ説明したが、保持部材８を露出せせることによって、万が一机上などから筆記具を落としてしまった場合の干渉部材ともなる。つまり、保持部材８が弾性変形することによって筆記具自体の係る衝撃力が緩衝させるのである。特に、出没式の筆記具にあっては、保持部材８が直接床などに激突するため、その緩衝作用は絶大である。
【図面の簡単な説明】
【００１１】
【図１】本発明の１例を示す正面図。
【図２】図１の要部拡大図。
【図３】保持部材を示す外観斜視図。
【図４】図３の要部断面図。
【図５】変形例を示す要部縦断面図。
【符号の説明】
【００１２】
１      軸筒
２      後軸
３      前軸
４      先部
５      グリップ部
６      内層
７      外層
８      保持部材
９      円錐部
１０      円周溝
１１      円周突起
１２      小形部
１３      大形部
１４      円錐部
１５      円錐部
１６      シャープペンシルユニット
１７      芯タンク
１８      継ぎ手
１９      チャック体
２０      チャックリング
２１      中螺子
２２      弾撥部材
２３      先部材
２４      芯戻り止め部材
２５      外形部
２６      消しゴムホルダー
２７      カバー部材
２８      ボールペンリフィル
２９      インキタンク
３０      ボールペンチップ
３１      ボール
３２      弾撥部材
３３      受け部材
３４      突部
【図１】
2006305789.tif 000003
【図２】
2006305789.tif 000004
【図３】
2006305789.tif 000005
【図４】
2006305789.tif 000006
【図５】
2006305789.tif 000007